(57)【要約】      （修正有）【課題】洗濯物が扉に衝突する及びそれに基づいて振動が発生することを抑える。【解決手段】ドラム内の洗濯物が高重量であることが判定された状態で温風加熱コースが設定時された時には、予備給水処理、第１の布濡らし処理、第２の布濡らし処理および温風加熱処理が順に開始される。予備給水処理では、水受槽内に予備水位の水道水が貯留されると共にドラムの静止状態で循環ポンプから洗濯物に水道水が浴びせられる。第１の布濡らし処理ではドラムの静止状態で循環ポンプから洗濯物に水道水を浴びせ、第２の布濡らし処理ではドラムを回転操作しながら洗濯物に循環ポンプから水道水を浴びせる。この第２の布濡らし処理の開始時点では洗濯物に水道水が浸透することにより、洗濯物のかさが小さくなっているので、第２の布濡らし処理および温風加熱処理においては、洗濯物が扉に衝突することに基づく振動の発生を抑えることができる。【選択図】図４
2009028334.tif 000002
【特許請求の範囲】
【請求項１】
洗濯物を出し入れするための出入口が形成された前板を有する中空状の外箱と、
前記外箱の出入口を閉鎖する閉鎖状態および開放する開放状態相互間で操作可能に設けられた扉と、
前記外箱の内部に収納され、洗濯物を洗濯するための水を受けるものであって前記外箱の出入口に対向する開口部を有する水受槽と、
前記水受槽の内部に水道水を給水する開放状態および水道水を給水しない閉鎖状態のそれぞれを含む２以上の状態相互間で切換えられる給水弁と、
前記水受槽の内部から外部に水道水を排水する開放状態および水道水を排水しない閉鎖状態相互間で切換えられる排水弁と、
前記水受槽の内部に設けられ、前記水受槽の内部空間に通じる内部空間を有するものであって前記外箱の出入口および前記水受槽の開口部のそれぞれを通して洗濯物が投入される洗濯槽と、
前記洗濯槽を回転操作する洗濯モータと、
前記水受槽の内部に通じる入口および出口のそれぞれを有する環状の循環風路と、
前記水受槽の内部の空気を前記循環風路の入口から前記循環風路の内部および前記循環風路の出口のそれぞれを順に通して前記水受槽の内部に戻すように循環させる送風機と、
前記循環風路に沿って循環する空気を前記循環風路の内部で加熱することに基づいて前記循環風路の出口から前記水受槽の内部に戻る空気を温風化する加熱器と、
前記水受槽の内部に通じる入口および前記水受槽の内部に前記入口より高所で通じる出口のそれぞれを有する循環水路と、
前記水受槽の内部の水道水を前記循環水路の入口から前記循環水路の内部および前記循環水路の出口のそれぞれを順に通して前記水受槽の内部に戻すように循環させる循環ポンプと、
使用者が操作することが可能な操作子と、
前記操作子の操作内容に基づいて前記洗濯槽内の洗濯物を洗濯するための運転コースを設定し、前記給水弁と前記排水弁と前記洗濯モータと前記送風機と前記加熱器と前記循環ポンプのそれぞれを運転コースの設定結果に応じた態様で制御する制御回路を備え、
前記制御回路は、
予め決められた特定の運転コースを設定したときには前記洗濯モータに予め決められた態様で電力を供給したときの前記洗濯モータの回転状態に基づいて前記洗濯槽内に投入された洗濯物の重量を判定する重量判定処理を行い、
前記重量判定処理で洗濯物の重量が最も高重量であることを判定したときには前記洗濯モータを運転停止し且つ前記排水弁を閉鎖した状態で前記給水弁を開放し、前記給水弁を開放した状態で前記循環ポンプを運転することに基づいて前記洗濯槽内の洗濯物に前記洗濯槽の静止状態で前記循環水路の出口から水道水を浴びせながら前記水受槽内に前記重量判定処理での判定結果に応じた水位に比べて低い予備水位の水道水を貯留する予備給水処理を行い、
前記予備給水処理を終えたときには前記洗濯モータを運転停止し且つ前記排水弁を閉鎖し且つ前記給水弁を閉鎖した状態で前記循環ポンプを運転し、前記洗濯槽内の洗濯物に前記洗濯槽の静止状態で前記循環水路の出口から水道水を浴びせる第１の布濡らし処理を行い、
前記第１の布濡らし処理を終えたときには前記排水弁を閉鎖し且つ前記給水弁を閉鎖した状態で前記循環ポンプおよび前記洗濯モータのそれぞれを運転し、前記洗濯槽内の洗濯物に前記洗濯槽の回転状態で前記循環水路の出口から水道水を浴びせる第２の布濡らし処理を行い、
前記第２の布濡らし処理を終えたときには前記循環ポンプを運転停止し且つ前記給水弁を閉鎖し且つ前記排水弁を閉鎖した状態で前記洗濯モータと前記加熱器と前記送風機のそれぞれを運転し、前記洗濯槽内の洗濯物に前記洗濯槽の回転状態で前記循環風路の出口から温風を吹き付けることに基づいて前記洗濯槽内の洗濯物を加熱する温風加熱処理を行い、
前記温風加熱処理を終えたときには前記排水弁を閉鎖した状態で前記給水弁を開放することに基づいて前記水受槽内の水位が前記重量判定処理の判定結果に応じた水位となるように前記水受槽内に水道水を給水し、前記洗濯槽内の洗濯物によって前記水受槽内の水道水を水道の蛇口から放出されたときの温度に比べて高温度な温水に加熱する本給水処理を行い、
前記本給水処理を終えたときには前記排水弁および前記給水弁のそれぞれを閉鎖した状態で前記洗濯モータを運転することに基づいて前記洗濯槽内の洗濯物を温水で洗う温水洗い処理を行うものであり、
前記重量判定処理で洗濯物の重量が高重量でないことを判定したときには前記予備給水処理と前記第１の布濡らし処理と前記第２の布濡らし処理のそれぞれを行うことなく前記温風加熱処理と前記本給水処理と前記温水洗い処理のそれぞれを順に行うものであることを特徴とする洗濯機。
【請求項２】
前記制御回路は、
前記第１の布濡らし処理および前記第２の布濡らし処理のそれぞれの実行中に前記水受槽内の水位を検出するものであって、前記第１の布濡らし処理の実行中に水位の検出結果が前記予備水位より低く設定された過小水位以下に低下したことを判断したときには前記第１の布濡らし処理を中断して前記第２の布濡らし処理を行うことなく前記温風加熱処理を開始し、前記第２の布濡らし処理の実行中に水位の検出結果が前記過小水位以下に低下したことを判断したときには前記第２の布濡らし処理を中断して前記温風加熱処理を開始するものであることを特徴とする請求項１に記載の洗濯機。
【請求項３】
前記制御回路は、
前記第２の布濡らし処理を終えたときには前記温風加熱処理を開始する前に前記水受槽内の水位を検出するものであって、当該水位の検出結果が前記洗濯槽の最低部以下に設定された限度水位を上回ることを判断したときには前記排水弁を開放することに基づいて前記水受槽内の水位が前記限度水位に低下するまで前記水受槽の内部から水道水を排出することを特徴とする請求項１に記載の洗濯機。  
【発明の詳細な説明】
【技術分野】
【０００１】
本発明は、外箱の前板に洗濯物を出し入れするための出入口が形成された洗濯機に関する。
【背景技術】
【０００２】
上記洗濯機には外箱の内部に水受槽を収納し、水受槽の内部に洗濯槽を収納した構成のものがある。これら水受槽および洗濯槽のそれぞれは前後方向へ延びる共通の軸心線を有する有底な円筒状をなすものであり、外箱の出入口に後方から対向する開口部を有している。この外箱には出入口を開閉する扉が装着されており、洗濯槽の内部には扉の開放状態で外箱の出入口から水受槽の開口部および洗濯槽の開口部のそれぞれを順に通して洗濯物が投入される。この洗濯機には水受槽の内部空間を始点および終点のそれぞれとする循環風路を設け、水受槽の内部の空気を循環風路に沿って循環させる構成のものがある。この循環風路の内部にはヒータが収納されており、ヒータの発熱時には循環風路に沿って循環する空気が加熱されることに基づいて水受槽の内部に温風が注入される。
【０００３】
特許文献１には水受槽の内部に温風を注入する温風注入機構を備えた洗濯機が開示されている。この従来の洗濯機では水受槽の内部に水を貯留した後に洗濯槽を回転操作することに基づいて洗濯槽内の洗濯物に水を浸透させ、洗濯槽内の洗濯物に水を浸透させた後に水受槽内に温風を注入することに基づいて洗濯槽内の洗濯物を加温している。この洗濯物の加温後には水受槽内に水が追加的に給水されることに基づいて水受槽内の水が洗濯物からの熱で加温され、洗濯槽内の洗濯物を加温された水で洗う次工程が開始される。
【特許文献１】特許第３６５９８３６号公報
【発明の開示】
【発明が解決しようとする課題】
【０００４】
上記従来の洗濯機では水受槽内に水を貯留した後に洗濯槽を回転操作することに基づいて洗濯槽内の洗濯物に水を浸透させているので、洗濯槽の回転操作を開始してから暫くの期間は洗濯物に水が十分に浸透していない状態で洗濯物が撹拌される。このため、特に洗濯槽内に多量の洗濯物が投入されている場合に洗濯物がかさの多さで前方へ移動し、洗濯槽の開口部および水受槽の開口部のそれぞれを順に通して前方の扉に衝突する虞があるので、洗濯物が扉に衝突するときの衝撃力で傷んだり、洗濯物が扉に衝突するときの衝撃力で振動または異音が発生する虞れがある。
【０００５】
本発明は上記事情に鑑みてなされたものであり、洗濯槽内の洗濯物を洗う前に温風で事前に加熱しておく特定の運転コースが設定されたときに洗濯物が扉に衝突することに基づいて傷んだり、洗濯物が扉に衝突することに基づいて振動または異音が発生することを抑えることができる洗濯機を提供することにある。
【課題を解決するための手段】
【０００６】
請求項１記載の洗濯機は、洗濯物を出し入れするための出入口が形成された前板を有する中空状の外箱と、前記外箱の出入口を閉鎖する閉鎖状態および開放する開放状態相互間で操作可能に設けられた扉と、前記外箱の内部に収納され洗濯物を洗濯するための水を受けるものであって前記外箱の出入口に対向する開口部を有する水受槽と、前記水受槽の内部に水道水を給水する開放状態および水道水を給水しない閉鎖状態のそれぞれを含む２以上の状態相互間で切換えられる給水弁と、前記水受槽の内部から外部に水道水を排水する開放状態および水道水を排水しない閉鎖状態相互間で切換えられる排水弁と、前記水受槽の内部に設けられ前記水受槽の内部空間に通じる内部空間を有するものであって前記外箱の出入口および前記水受槽の開口部のそれぞれを通して洗濯物が投入される洗濯槽と、前記洗濯槽を回転操作する洗濯モータと、前記水受槽の内部に通じる入口および出口のそれぞれを有する環状の循環風路と、前記水受槽の内部の空気を前記循環風路の入口から前記循環風路の内部および前記循環風路の出口のそれぞれを順に通して前記水受槽の内部に戻すように循環させる送風機と、前記循環風路に沿って循環する空気を前記循環風路の内部で加熱することに基づいて前記循環風路の出口から前記水受槽の内部に戻る空気を温風化する加熱器と、前記水受槽の内部に通じる入口および前記水受槽の内部に前記入口より高所で通じる出口のそれぞれを有する循環水路と、前記水受槽の内部の水道水を前記循環水路の入口から前記循環水路の内部および前記循環水路の出口のそれぞれを順に通して前記水受槽の内部に戻すように循環させる循環ポンプと、使用者が操作することが可能な操作子と、前記操作子の操作内容に基づいて前記洗濯槽内の洗濯物を洗濯するための運転コースを設定し前記給水弁と前記排水弁と前記洗濯モータと前記送風機と前記加熱器と前記循環ポンプのそれぞれを運転コースの設定結果に応じた態様で制御する制御回路を備え、前記制御回路は予め決められた特定の運転コースを設定したときには前記洗濯モータに予め決められた態様で電力を供給したときの前記洗濯モータの回転状態に基づいて前記洗濯槽内に投入された洗濯物の重量を判定する重量判定処理を行い、前記重量判定処理で洗濯物の重量が最も高重量であることを判定したときには前記洗濯モータを運転停止し且つ前記排水弁を閉鎖した状態で前記給水弁を開放し前記給水弁を開放した状態で前記循環ポンプを運転することに基づいて前記洗濯槽内の洗濯物に前記洗濯槽の静止状態で前記循環水路の出口から水道水を浴びせながら前記水受槽内に前記重量判定処理での判定結果に応じた水位に比べて低い予備水位の水道水を貯留する予備給水処理を行い、前記予備給水処理を終えたときには前記洗濯モータを運転停止し且つ前記排水弁を閉鎖し且つ前記給水弁を閉鎖した状態で前記循環ポンプを運転し前記洗濯槽内の洗濯物に前記洗濯槽の静止状態で前記循環水路の出口から水道水を浴びせる第１の布濡らし処理を行い、前記第１の布濡らし処理を終えたときには前記排水弁を閉鎖し且つ前記給水弁を閉鎖した状態で前記循環ポンプおよび前記洗濯モータのそれぞれを運転し前記洗濯槽内の洗濯物に前記洗濯槽の回転状態で前記循環水路の出口から水道水を浴びせる第２の布濡らし処理を行い、前記第２の布濡らし処理を終えたときには前記循環ポンプを運転停止し且つ前記給水弁を閉鎖し且つ前記排水弁を閉鎖した状態で前記洗濯モータと前記加熱器と前記送風機のそれぞれを運転し前記洗濯槽内の洗濯物に前記洗濯槽の回転状態で前記循環風路の出口から温風を吹き付けることに基づいて前記洗濯槽内の洗濯物を加熱する温風加熱処理を行い、前記温風加熱処理を終えたときには前記排水弁を閉鎖した状態で前記給水弁を開放することに基づいて前記水受槽内の水位が前記重量判定処理の判定結果に応じた水位となるように前記水受槽内に水道水を給水し前記洗濯槽内の洗濯物によって前記水受槽内の水道水を水道の蛇口から放出されたときの温度に比べて高温度な温水に加熱する本給水処理を行い、前記本給水処理を終えたときには前記排水弁および前記給水弁のそれぞれを閉鎖した状態で前記洗濯モータを運転することに基づいて前記洗濯槽内の洗濯物を温水で洗う温水洗い処理を行うものであり、前記重量判定処理で洗濯物の重量が高重量でないことを判定したときには前記予備給水処理と前記第１の布濡らし処理と前記第２の布濡らし処理のそれぞれを行うことなく前記温風加熱処理と前記本給水処理と前記温水洗い処理のそれぞれを順に行うものであるところに特徴を有する。
【発明の効果】
【０００７】
特定の運転コースの設定時に洗濯槽内の洗濯物が高重量であることが判定されたときには予備給水処理および第１の布濡らし処理のそれぞれが順に行われた後に第２の布濡らし処理および温風加熱処理のそれぞれが順に行われる。予備給水処理は水受槽内に予備水位の水道水を貯留する処理であり、予備給水処理では洗濯槽の静止状態で循環ポンプから洗濯槽内の洗濯物に水道水が浴びせられる。第１の布濡らし処理は洗濯槽の静止状態で循環ポンプから洗濯槽内の洗濯物に水道水を浴びせる処理であり、第２の布濡らし処理は洗濯槽を回転操作しながら洗濯槽内の洗濯物に循環ポンプから水道水を浴びせる処理である。この第２の布濡らし処理の開始時点では洗濯槽内の洗濯物に水道水が浸透することに基づいて洗濯物のかさが水道水の浸透前に比べて小さくなっているので、第２の布濡らし処理および温風加熱処理のそれぞれで洗濯槽内の洗濯物が扉に衝突することに基づいて傷んだり、洗濯槽内の洗濯物が扉に衝突することに基づいて振動または異音が発生することを抑えることができる。しかも、特定の運転コースの設定時に洗濯槽内の洗濯物が高重量でないことが判定されたときには洗濯槽内の洗濯物に洗濯槽の静止状態で水道水が浴びせられることなく温風加熱処理が開始されるので、特定の運転コースの所要時間が不用意に長くなることを抑えることができる。
【発明を実施するための最良の形態】
【０００８】
［実施例１］
外箱１は、図１に示すように、底板２と左方の側板３と右方の側板３と前板４と天板５と後板６を相互に組合せることから構成されたものであり、中空な箱状をなしている。この外箱１の底板２には複数のダンパ７が固定されており、複数のダンパ７のそれぞれの上端部には共通の水受槽８が固定されている。これら複数のダンパ７のそれぞれはコイルスプリングおよび油圧シリンダの双方を有するものであり、水受槽８はダンパ７のバネ力および油圧力の双方で制振状態および緩衝状態のそれぞれに支持されている。この水受槽８は後面が閉鎖された有底な円筒状をなすものであり、軸心線ＣＬが前から後へ向って下降する傾斜状態となるように配置されている。この水受槽８の後板には水受槽８の外部に位置してドラムモータ９のステータが固定されている。このドラムモータ９は速度制御可能なＤＣブラシレスモータからなるものであり、ドラムモータ９の回転軸１０は水受槽８の内部に突出している。このドラムモータ９は洗濯モータに相当するものである。
【０００９】
ドラムモータ９の回転軸には、図１に示すように、ドラム１１が回転不能に固定されている。このドラム１１は洗濯物が投入される洗濯槽に相当するものであり、ドラムモータ９の運転状態ではドラムモータ９の回転軸１０と一体的に回転する。このドラム１１は後面が閉鎖された有底な円筒状をなすものであり、水受槽８の内部に水受槽８に対して同心状に収納されている。このドラム１１には複数の貫通孔１２が形成されており、ドラム１１の内部空間は複数の貫通孔１２のそれぞれを介して水受槽８の内部空間に接続されている。このドラム１１にはドラム１１の内部に突出する複数のバッフル１３が固定されており、複数のバッフル１３のそれぞれはドラム１１が回転することに基づいて円周方向へ移動する。
【００１０】
ドラム１１の前端部には、図１に示すように、ドラム前板１４が固定され、水受槽８の前端部には槽前板１５が固定されている。これらドラム前板１４および槽前板１５のそれぞれは水受槽８に対して同心な円環状をなすものであり、外箱１の前板４にはドラム前板１４および槽前板１５のそれぞれの内部空間に前方から対向する貫通孔状の出入口１６が形成されている。このドラム前板１４の内部空間は洗濯槽の開口部に相当するものであり、槽前板１５の内部空間は水受槽８の開口部に相当するものである。
【００１１】
外箱１の前板４には、図１に示すように、扉１７が装着されている。この扉１７は出入口１６を閉鎖する閉鎖状態および出入口１６を開放する開放状態相互間で移動可能にされたものであり、洗濯物は扉１７の開放状態でドラム１１の内部に出入口１６と槽前板１５の内部空間とドラム前板１４の内部空間を順に通して投入され、ドラム１１の内部からドラム前板１４の内部空間と槽前板１５の内部空間と出入口１６を順に通して取出される。この扉１７は透明なガラス製の窓および窓を取囲む窓枠を有するものであり、窓枠の後方には窓枠を取囲む筒状のベローズ１８が配置されている。このベローズ１８は槽前板１５に固定されたものであり、扉１７の閉鎖状態ではベローズ１８が扉１７の窓枠に接触することに基づいて水受槽８および扉１７相互間を気密状態に閉塞する。
【００１２】
外箱１の内部には、図１に示すように、給水弁１９が収納されている。この給水弁１９は入口と注水用出口と散水用出口を有するものであり、給水弁１９の入口は水道の蛇口に接続されている。この給水弁１９は注水用ソレノイド２０（図２参照）および散水用ソレノイド２１（図２参照）のそれぞれを駆動源として有するものであり、注水用出口は注水用ソレノイド２０が通断電されることに基づいて開放状態および閉鎖状態相互間で切換えられ、散水用出口は散水用ソレノイド２１が通断電されることに基づいて開放状態および閉鎖状態相互間で切換えられる。
【００１３】
給水弁１９の注水用出口は、図１に示すように、注水ケース２２に接続されており、給水弁１９の注水用出口が開放された開放状態では水道水が注水用出口を通して注水ケース２２内に注入される。この注水ケース２２は外箱１の内部に水受槽８より高所に位置して収納されたものであり、ホースからなる注水口２３を備えている。この注水口２３は水受槽８の内部空間に接続されており、給水弁１９の注水用出口から注水ケース２２内に注入された水道水は注水口２３から水受槽８内に注入される。この注水ケース２２の内部には水道水の流通経路の途中に位置して洗剤ケース２４が収納されている。この洗剤ケース２４は洗剤が投入されるものであり、洗剤ケース２４内の洗剤は注水ケース２２内を流通する水道水と共に注水ケース２２の注水口２３から水受槽８内に注入される。この洗剤ケース２４は使用者が前方から注水ケース２２内に対して出し入れすることが可能なものであり、洗剤は洗剤ケース２４の取出し状態で洗剤ケース２４内に投入される。
【００１４】
水受槽８には、図１に示すように、最底部に位置して排水管２５の上端部が接続されており、排水管２５には排水弁２６が介在されている。この排水弁２６は排水弁モータ２７（図２参照）を駆動源とするものであり、排水弁モータ２７の回転量に応じて排水管２５を開放する開放状態および排水管２５を閉鎖する閉鎖状態相互間で切換えられる。この排水弁２６の閉鎖状態では注水ケース２２内から水受槽８内に注入された水道水が水受槽８内に貯留され、排水弁２６の開放状態では水受槽８内に貯留された水道水が排水管２５を通して水受槽８の外部に排出される。
【００１５】
水受槽８の後板には、図１に示すように、水受槽８の外部に位置して後ダクト２８が固定されている。この後ダクト２８は下端面および上端面のそれぞれが開口する上下方向へ延びる通路状をなすものであり、後ダクト２８の下端面は水受槽８の内部空間に水受槽８の底部で接続されている。この後ダクト２８の上端面には接続ダクト２９を介してファンケーシング３０の吸気口が接続されており、ファンケーシング３０の排気口にはヒータケース３１の後端面が接続されている。このヒータケース３１は前端面および後端面のそれぞれが開口する前後方向へ延びる通路状をなすものであり、ヒータケース３１の前端面には前ダクト３２の後端面が接続されている。この前ダクト３２は後端面および前端面のそれぞれが開口する前後方向へ延びる通路状をなすものであり、前ダクト３２の前端面は水受槽８の内部空間に水受槽８の頂上部で接続されている。これら後ダクト２８〜前ダクト３２の５部材は水受槽８の内部空間を始点および終点のそれぞれとする閉ループ状の循環風路を構成するものであり、後ダクト２８の下端面は循環風路の入口に相当し、前ダクト３２の前端面は循環風路の出口に相当する。
【００１６】
ファンケーシング３０の内部には、図１に示すように、ファン３３が収納されている。このファン３３はファンモータ３４（図２参照）の回転軸に連結されており、ファンモータ３４が運転された状態では、図１に矢印で示すように、ファン３３が予め決められた一定方向へ回転することに基づいて水受槽８の内部の空気およびドラム１１の内部の空気のそれぞれが後ダクト２８から接続ダクト２９とファンケーシング３０とヒータケース３１と前ダクト３２を順に通して水受槽８の内部に戻される。このヒータケース３１の内部にはヒータ３５が収納されている。このヒータ３５は循環風路に沿って循環する空気をヒータケース３１の内部で加熱することに基づいて温風化するものであり、ファンモータ３４およびヒータ３５のそれぞれの運転状態では前ダクト３２の前端面から水受槽８の内部に温風が放出される。このヒータ３５は加熱器に相当するものであり、ファン３３およびファンモータ３４の両者は循環風路に沿って空気を循環させる送風機を構成するものである。
【００１７】
後ダクト２８の上端部には、図１に示すように、散水口３６が形成されており、散水口３６には散水ホース３７の下端部が接続されている。この散水ホース３７の上端部は給水弁１９の散水用出口に接続されており、散水用出口の開放状態では水道の蛇口から散水ホース３７および散水口３６を順に通して後ダクト２８の内部に水道水が冷却水として散水される。これら散水ホース３７と散水口３６と給水弁１９の３部材は水冷式の除湿器を構成するものであり、ドラム１１内に未乾燥の衣類が存在する状態でファンモータ３４およびヒータ３５のそれぞれが運転されたときには未乾燥の衣類を経由した高温多湿な温風が後ダクト２８の内部に流れ込む。これらファンモータ３４およびヒータ３５のそれぞれの運転が給水弁１９の散水用出口の開放状態で行われたときには未乾燥の衣類を経由した高温多湿な温風が後ダクト２８の内部で冷却水に接触し、冷却されることに基づいて除湿される。この除湿風はヒータケース３１の内部でヒータ３５によって加熱されることに基づいて温風化され、ドラム１１内の未乾燥の衣類に高温低湿な乾燥風として吹き付けられる。
【００１８】
外箱１の内部には、図１に示すように、水受槽８の下方に位置して循環ポンプ３８が収納されている。この循環ポンプ３８はポンプモータ３９（図２参照）を駆動源とするものであり、水を吸込む吸水口および水を排出する排水口を有している。この循環ポンプ３８の吸水口には、図１に示すように、吸水管４０の前端部が接続されている。この吸水管４０の後端部は排水管２５に排水弁２６より上流側で接続されており、水受槽８の内部に水道水が貯留された排水弁２６の閉鎖状態でポンプモータ３９が運転されたときには水受槽８の内部の水道水が吸水管４０を通して循環ポンプ３８の内部に汲出される。この吸水管４０にはフィルタケース４１が介在されており、フィルタケース４１の内部にはリントフィルタが収納されている。このリントフィルタの網目は水が流通可能で糸屑等の異物が流通不能な大きさに設定されており、水受槽８の内部の水道水はリントフィルタの網目を通過して循環ポンプ３８の内部に浸入し、糸屑等の異物はリントフィルタの網目を通過することなくリントフィルタによって捕捉される。
【００１９】
循環ポンプ３８の排水口には、図１に示すように、排水管４２の下端部が接続されており、排水管４２の上端部には中空状の散水ケース４３が接続されている。この散水ケース４３は槽前板１５の頂上部に固定されたものであり、循環ポンプ３８が水受槽８の内部から外部に汲出した水道水は循環ポンプ３８の吐出圧で排水管４２に沿って上昇し、散水ケース４３の内部に注入される。この散水ケース４３には複数の散水口が固定されている。これら複数の散水口のそれぞれはドラム１１内の頂上部に指向するものであり、散水ケース４３の内部に注入された水道水は循環ポンプ３８の吐出圧で複数の散水口のそれぞれからドラム１１の内部に散水される。これら散水ケース４３と排水管４２と吸水管４０の３部材は水受槽８の内部空間を始点および終点のそれぞれとする循環水路を構成するものであり、吸水管４０の後端部は循環水路の入口に相当し、散水ケース４３の散水口は循環水路の出口に相当し、散水ケース４３の散水口は吸水管４０の後端部より高所に配置されている。
【００２０】
外箱１の前板４には、図１に示すように、上端部に位置して操作パネル４４が固定されており、操作パネル４４には表示器４５（図２参照）が固定されている。この表示器４５は液晶表示器からなるものであり、前方から視覚的に認識可能にされている。この操作パネル４４には運転コーススイッチ４６（図２参照）およびスタートスイッチ４７（図２参照）のそれぞれが前方から操作可能に装着されている。これら運転コーススイッチ４６およびスタートスイッチ４７のそれぞれは自己復帰形のプッシュスイッチからなるものであり、図２に示すように、制御回路４８に接続されている。この制御回路４８は外箱１の内部に収納されたものであり、マイクロコンピュータを主体に構成されている。この制御回路４８はＣＰＵとＲＯＭとＲＡＭを有するものであり、ＲＯＭには運転制御プログラムおよび運転制御データのそれぞれが予め記録されている。
【００２１】
制御回路４８には、図２に示すように、モータ駆動回路４９とソレノイド駆動回路５０とソレノイド駆動回路５１とモータ駆動回路５２が接続されている。モータ駆動回路４９はドラムモータ９に駆動電源を印加するものであり、制御回路４８のＣＰＵはモータ駆動回路４９を制御することに基づいてドラムモータ９を正方向および逆方向のそれぞれに可変的な速度で回転操作する。ソレノイド駆動回路５０は注水用ソレノイド２０に駆動電源を印加するものであり、制御回路４８のＣＰＵはソレノイド駆動回路５０を制御することに基づいて給水弁１９の注水用出口を開閉操作する。ソレノイド駆動回路５１は散水用ソレノイド２１に駆動電源を印加するものであり、制御回路４８のＣＰＵはソレノイド駆動回路５１を制御することに基づいて給水弁１９の散水用出口を開閉操作する。モータ駆動回路５２は排水弁モータ２７に駆動電源を印加するものであり、制御回路４８のＣＰＵはモータ駆動回路５２を制御することに基づいて排水弁２６を開閉操作する。
【００２２】
制御回路４８には、図２に示すように、モータ駆動回路５３とヒータ駆動回路５４とモータ駆動回路５５とＬＣＤ駆動回路５６が接続されている。モータ駆動回路５３はファンモータ３４に駆動電源を印加するものであり、制御回路４８のＣＰＵはモータ駆動回路５３を制御することに基づいてファンモータ３４を一定方向へ一定速度で回転操作する。ヒータ駆動回路５４はヒータ３５に駆動電源を印加するものであり、制御回路４８のＣＰＵはヒータ駆動回路５４を制御することに基づいてヒータ３５を可変的なデューティ比（オンオフ比）で発熱させる。モータ駆動回路５５はポンプモータ３９に駆動電源を印加するものであり、制御回路４８のＣＰＵはモータ駆動回路５５を制御することに基づいてポンプモータ３９を一定方向へ一定速度で回転操作する。ＬＣＤ駆動回路５６は表示器４５に駆動電源を印加するものであり、制御回路４８のＣＰＵはＬＣＤ駆動回路５６を制御することに基づいて表示器４５の表示内容を制御する。
【００２３】
制御回路４８には、図２に示すように、圧力センサ５７が接続されている。この圧力センサ５７は水受槽８の内部の圧力を受けて変位するコアおよびコアの変位量を検出するコイルを有するものである。この圧力センサ５７は水受槽８の内部の圧力に応じた圧力信号を出力するものであり、制御回路４８のＣＰＵは圧力センサ５７から出力される圧力信号に基づいて水受槽８内に貯留された水道水の水位を検出する。この圧力センサ５７のコアに対する圧力の供給口は、図１に一点差線ＲＨで示すように、ドラム１１の最低部の高さに比べて低く設定されており、圧力センサ５７が検出することが可能な最低水位は高さＲＨに設定されている。この高さＲＨの水位をリセット水位と称し、吸水管４０はリセット水位より低所で排水管２５に接続されている。このリセット水位は過小水位および限度水位のそれぞれに相当するものである。
【００２４】
制御回路４８には、図２に示すように、温風温度センサ５８および速度センサ５９が接続されている。温風温度センサ５８は前ダクト３２の内部に収納されたサーミスタからなるものであり、制御回路４８のＣＰＵは温風温度センサ５８から出力される温風温度信号に基づいて前ダクト３２から水受槽８内に吐出される温風の温度を検出する。速度センサ５９はドラムモータ９のロータマグネットを検出して検出信号を出力するホール素子からなるものであり、制御回路４８のＣＰＵは速度センサ５９から出力される検出信号に基づいてドラム１１の回転速度を検出する。
【００２５】
制御回路４８のＣＰＵは運転コーススイッチ４６が操作されたことを判断すると、運転コーススイッチ４６の操作内容に応じて運転コースを設定する。この運転コースの設定状態でスタートスイッチ４７が操作されたことを判断したときには運転コースの設定結果に応じた運転制御プログラムを設定し、運転制御プログラムの設定結果を実行することに基づいてドラム１１内の洗濯物を運転コースの設定結果に応じた内容で自動的に洗濯する。この制御回路４８のＲＯＭには運転制御データとして標準コースおよび温風加熱コースを含む複数の運転コースが予め記録されており、ＣＰＵは複数の運転コースのうちから運転コーススイッチ４６の操作内容に応じたものを選択することで運転コースを設定する。この運転コーススイッチ４６は操作子に相当するものである。
【００２６】
図３は使用者が温風加熱コースを選択したときに設定される温風加熱コース用の運転制御プログラムを示すフローチャートである。この温風加熱コースは特定の運転コースに相当するものであり、ＣＰＵは温風加熱コース用の運転制御プログラムを設定したときにはステップＳ１の重量判定処理へ移行する。この重量判定処理はＲＯＭに予め記録された一定の重量判定パターンでドラムモータ９に電力を供給し、電力の供給を開始してからＲＯＭに予め記録された一定時間が経過したときのドラムモータ９の回転速度Ｒを速度センサ５９から出力される検出信号に基づいて実測することで行われるものであり、重量判定パターンはドラムモータ９が静止状態から正方向へ加速するように設定されている。
【００２７】
ＣＰＵはステップＳ１の重量判定処理でドラムモータ９の回転速度Ｒを検出すると、回転速度Ｒの検出結果を第１の判定値Ｒ１および第２の判定値Ｒ２（＞Ｒ１）のそれぞれと比較する。これら第１の判定値Ｒ１および第２の判定値Ｒ２のそれぞれはＲＯＭに予め記録されたものであり、ＣＰＵは「Ｒ≦第１の判定値Ｒ１」を判断したときにはドラム１１内の洗濯物の重量が「高重量」であると判定し、「第１の判定値Ｒ１＜Ｒ＜第２の判定値Ｒ２」を判断したときにはドラム１１内の洗濯物の重量が「中重量」であると判定し、「Ｒ≧第２の判定値Ｒ２」を判断したときにはドラム１１内の洗濯物の重量が「低重量」であると判定する。
【００２８】
ＣＰＵはステップＳ１の重量判定処理を終えると、ステップＳ２の水位設定処理へ移行する。この水位設定処理はステップＳ３０の給水処理１およびステップＳ３３の給水処理２のそれぞれで水受槽８内に貯留する水位を設定するものであり、ＣＰＵはステップＳ１で洗濯物の重量が「高重量」であると判定したときには水位をＲＯＭに予め記録された「高水位」に設定し、洗濯物の重量が「中重量」であると判定したときには水位をＲＯＭに予め記録された「中水位（＜高水位）」に設定し、洗濯物の重量が「低重量」であると判定したときには水位をＲＯＭに予め記録された「低水位（＜中水位）」に設定する。これら「高水位」〜「低水位」のそれぞれはドラム１１内の洗濯物を洗剤分を含有する水道水で洗濯（洗う）すると共に洗剤分を含有しない水道水で洗濯（すすぐ）するための水位であり、ドラム１１内の洗濯物が水受槽８内の水道水に浸るようにドラム１１の最底部より高位置に設定されている。即ち、「高水位」〜「低水位」のそれぞれはリセット水位に比べて高く設定されたものである。
【００２９】
ＣＰＵはステップＳ２の水位設定処理を終えると、ステップＳ３の洗剤量設定処理へ移行する。この洗剤量設定処理はドラム１１内の洗濯物を洗うために必要な洗剤量を設定するものであり、ＣＰＵはステップＳ１で洗濯物の重量が「高重量」であると判定したときには洗剤量を「多量」に設定し、洗濯物の重量が「中重量」であると判定したときには洗剤量を「中量（＜多量）」に設定し、洗濯物の重量が「低重量」であると判定したときには洗剤量を「少量（＜中量）」に設定する。
【００３０】
ＣＰＵはステップＳ３で洗剤量を設定すると、ステップＳ４で表示器４５に洗剤量の設定結果を表示し、ステップＳ５でタイマＴを「０」にリセットする。このタイマＴはＣＰＵが予め決められた一定の時間間隔でタイマ割込み処理を起動し、タイマ割込み処理を起動する毎に予め決められた単位値ずつ加算することで計測するものであり、ＣＰＵはステップＳ５でタイマＴをリセットしたときにはステップＳ６へ移行し、タイマＴの加算結果をＲＯＭに予め記録された表示時間（例えば１分）と比較する。この表示時間は使用者が表示器４５の表示内容から必要な洗剤量を認識し、洗剤ケース２４内に洗剤量の認識結果に応じた量の洗剤を投入し、洗剤ケース２４を注水ケース２２内に収納するまでの所要時間を考慮して設定されたものであり、ＣＰＵはステップＳ６でタイマＴの加算結果が表示時間に到達したことを判断したときにはステップＳ７へ移行する。
【００３１】
ＣＰＵはステップＳ７へ移行すると、表示器４５から洗剤量の表示を消去し、ステップＳ８で洗濯物の重量の判定結果が「高重量」であるか否かを判断する。例えば重量の判定結果が「中重量」および「低重量」のいずれかであるときにはステップＳ８からステップＳ２９の温風加熱処理へ移行し、ドラムモータ９とファンモータ３４とヒータ３５のそれぞれを運転開始する。このヒータ３５は温風温度センサ５８から出力される温風温度信号がＲＯＭに予め記録された温風加熱温度に収束するようにオンオフ比が調整されるものであり、ファンモータ３４は一定方向へ一定速度で継続的に運転され、ドラムモータ９はＲＯＭに予め記録された温風加熱パターンで運転される。この温風加熱パターンはドラムモータ９を一定時間（例えば１０秒）だけオンした後に一定時間（例えば２．０秒）だけオフするサイクルを繰返すものであり、各サイクルでドラムモータ９をオンするときにはドラムモータ９が一定の起動時間（例えば１．３秒）で撹拌速度（例えば５０ｒｐｍ）に到達し、撹拌速度で一定方向へ定速回転するようにパルス幅が調整される。この温風加熱処理は給水弁１９の注水用出口および散水用出口のそれぞれが閉鎖され、排水弁２６が閉鎖され、ポンプモータ３９が運転停止した状態で行われるものであり、ドラム１１内の洗濯物はドラム１１が撹拌速度で回転することに基づいて撹拌される。この温風加熱処理はドラム１１内の洗濯物を撹拌しながら温風によって加熱するものであり、ＣＰＵは温風加熱処理を開始してからＲＯＭに予め記録された温風加熱時間が経過したことを判断したときにはドラムモータ９とファンモータ３４とヒータ３５のそれぞれを運転停止することに基づいて温風加熱処理を終える。
【００３２】
ＣＰＵはステップＳ８で洗濯物の重量の判定結果が「高重量」であることを判断すると、ステップＳ９で注水用ソレノイド２０をオンすることに基づいて給水弁１９の注水用出口を開放し、注水ケース２２から注水口２３を通して水受槽８内に水道水を注入する。この給水開始時には使用者が洗剤ケース２４内に必要量の洗剤を投入しており、水受槽８内には洗剤分を含有する常温度の水道水が注入される。
【００３３】
ＣＰＵはステップＳ９で水受槽８に対する給水を開始すると、ステップＳ１０で圧力センサ５７から出力される圧力信号に基づいて水位を検出し、水位の検出結果をリセット水位と比較する。ここで水位の検出結果がリセット水位に到達したことを判断したときにはステップＳ１１へ移行し、ポンプモータ３９を運転開始する。このポンプモータ３９は一定方向へ一定速度で継続的に運転されるものであり、ポンプモータ３９の運転状態ではドラム１１内の洗濯物にドラム１１の静止状態で上方の散水ケース４３から洗剤分を含有する常温度の水道水が浴びせられる。
【００３４】
ＣＰＵはステップＳ１１でポンプモータ３９を運転開始すると、ステップＳ１２で圧力センサ５７から出力される圧力信号に基づいて水位を検出し、水位の検出結果を予備水位と比較する。この予備水位は洗濯物を洗うための水位である「高水位」に比べて低く設定されたものであり、圧力センサ５７が検出することが可能な水位であるリセット水位に比べて高く設定されている。この予備水位はＲＯＭに予め記録されたものであり、ＣＰＵはステップＳ１２で水位の検出結果が予備水位に到達したことを判断したときにはステップＳ１３へ移行する。ここで注水用ソレノイド２０をオフすることに基づいて給水弁１９の注水用出口を閉鎖し、水受槽８に対する給水動作を中断する。このステップＳ１３とステップＳ１２とステップＳ１１とステップＳ１０とステップＳ９は予備給水処理に相当するものである。
【００３５】
ＣＰＵはステップＳ１３で給水弁１９の注水用出口を閉鎖すると、ステップＳ１４でタイマＴを「０」にリセットし、ステップＳ１５でタイマＴの加算結果をＲＯＭに予め記録された布濡らし時間１（例えば２分）と比較する。このタイマＴの加算結果が布濡らし時間１に到達していないことを判断したときにはステップＳ１６へ移行する。ここで圧力センサ５７から出力される圧力信号に基づいて水受槽８内の水位を検出し、水位の検出結果をリセット水位と比較する。この布濡らし時間１が経過することを待つ待機期間中には水受槽８に対する給水動作が停止し且つドラム１１が静止した状態で循環ポンプ３８が運転され、ドラム１１内の洗濯物に上方から洗剤分を含有する常温度の水道水が注がれることに基づいて洗濯物に洗剤分を含有する常温度の水道水が浸透しており、水受槽８内の水位が低下する。
【００３６】
ＣＰＵはステップＳ１６で水位の検出結果がリセット水位以下に低下したことを判断すると、ステップＳ１７でポンプモータ３９を運転停止し、ステップＳ２９の温風加熱処理へ移行する。即ち、布濡らし時間１が経過する前に水受槽８内の水位が予備水位からリセット水位まで低下したときにはドラムモータ９とファンモータ３４とヒータ３５のそれぞれが運転開始され、ドラム１１内の洗濯物が撹拌されながら温風によって加熱される。このステップＳ１７とステップＳ１６とステップＳ１５とステップＳ１４とステップＳ１３は第１の布濡らし処理に相当するものである。
【００３７】
ＣＰＵはステップＳ１５でタイマＴの加算結果が布濡らし時間１に到達したことを判断すると、ステップＳ１８でドラムモータ９をＲＯＭに予め記録された布濡らしパターンで運転開始する。この布濡らしパターンはドラムモータを一定時間（例えば５秒）だけオンした後に一定時間（例えば３．５秒）だけオフするサイクルを繰返すものであり、各サイクルでドラムモータ９をオンするときにはドラムモータ９が一定の起動時間（例えば１．３秒）で撹拌速度（例えば４７ｒｐｍ）に到達し、撹拌速度で一定方向へ定速回転するようにパルス幅が調整される。このドラムモータ９の運転状態ではドラム１１内の洗濯物がバッフル１３に引掛って上昇した後に落下することに基づいて撹拌され、散水ケース４３からドラム１１内の洗濯物に水道水が浴びせられる。
【００３８】
ＣＰＵはステップＳ１８でドラムモータ９を運転開始すると、ステップＳ１９でタイマＴを「０」にリセットし、ステップＳ２０でタイマＴの加算結果をＲＯＭに予め記録された布濡らし時間２（例えば３分）と比較する。このタイマＴの加算結果が布濡らし時間２に到達していないことを判断したときにはステップＳ２１へ移行する。ここで圧力センサ５７から出力される圧力信号に基づいて水受槽８内の水位を検出し、水位の検出結果をリセット水位と比較する。この布濡らし時間２が経過することを待つ待機期間中には水受槽８に対する給水動作が停止し且つドラム１１が回転した状態で循環ポンプ３８が運転され、ドラム１１内の洗濯物に上方から洗剤分を含有する常温度の水道水が注がれることに基づいて洗濯物に洗剤分を含有する常温度の水道水が浸透しており、水受槽８内の水位が低下する。
【００３９】
ＣＰＵはステップＳ２１で水位の検出結果がリセット水位以下に低下したことを判断すると、ステップＳ２２でポンプモータ３９を運転停止し、ステップＳ２３でドラムモータ９を運転停止し、ステップＳ２９の温風加熱処理へ移行する。即ち、布濡らし時間１が経過してから布濡らし時間２が経過する前に水受槽８内の水位が予備水位からリセット水位以下に低下したときにはドラムモータ９とファンモータ３４とヒータ３５のそれぞれが運転開始され、ドラム１１内の洗濯物が撹拌されながら温風によって加熱される。このステップＳ２３とステップＳ２２とステップＳ２１とステップＳ２０とステップＳ１９とステップＳ１８は第２の布濡らし処理に相当するものである。
【００４０】
ＣＰＵはステップＳ２０でタイマＴの加算結果が布濡らし時間２に到達したことを判断すると、ステップＳ２４でドラムモータ９を運転停止する。そして、ステップＳ２５で圧力センサ５７から出力される圧力信号に基づいて水受槽８内の水位を検出し、水位の検出結果をリセット水位と比較する。予備水位はステップＳ２４でドラムモータ９を運転停止させた時点で水道水がドラム１１内の高重量の洗濯物に十分に浸透することを考慮して設定されたものであり、ドラム１１内の洗濯物の重量が実際に「高重量」である場合にはステップＳ２４でドラムモータ９が運転停止した時点で水受槽８内にリセット水位を上回る量の水道水が貯留されず、ドラム１１内の洗濯物の重量が「高重量」でない場合には水受槽８内にリセット水位を上回る量の水道水が貯留される。
【００４１】
ＣＰＵはステップＳ２５で水位の検出結果がリセット水位以下であることを判断すると、ステップＳ２９の温風加熱処理へ移行する。この温風加熱処理でドラムモータ９とファンモータ３４とヒータ３５のそれぞれを運転開始し、ドラム１１内の洗濯物を撹拌しながらドラム１１内の洗濯物に温風を吹き付ける。
【００４２】
ＣＰＵはステップＳ２５で水位の検出結果がリセット水位を上回ることを判断すると、ステップＳ２６で排水弁モータ２７を運転することに基づいて排水弁２６を開放する。そして、ステップＳ２７で圧力センサ５７からの圧力信号に基づいて水受槽８内の水位を検出し、水位の検出結果をリセット水位と比較する。ここで水位の検出結果がリセット水位に低下したことを判断したときにはステップＳ２８へ移行し、排水弁モータ２７を運転することに基づいて排水弁２６を閉鎖する。次にステップＳ２９の温風加熱処理へ移行し、ドラムモータ９とファンモータ３４とヒータ３５のそれぞれを運転開始することに基づいてドラム１１内の洗濯物を撹拌しながらドラム１１内の洗濯物に温風を吹き付ける。図４は温風加熱コースが設定されたときのドラムモータ９と給水弁１９と排水弁２６とファンモータ３４とヒータ３５とポンプモータ３９のそれぞれの運転状態を示すものである。
【００４３】
ＣＰＵは図３のステップＳ２９の温風加熱処理を終えると、ステップＳ３０の給水処理１へ移行する。この給水処理１は排水弁２６の閉鎖状態で給水弁１９の注水用出口を開放することに基づいて水道の蛇口から注水ケース２２および洗剤ケース２４のそれぞれを通して水受槽８内に水道水を注入するものであり、ステップＳ８で洗濯物の重量の判定結果が「高重量」でないことが判断されたときには洗剤ケース２４内の洗剤が給水処理１で水受槽８内に注入される。この給水処理１はドラムモータ９とファンモータ３４とヒータ３５とポンプモータ３９のそれぞれの運転停止状態で行われるものであり、給水処理１ではドラム１１内の洗濯物から常温度の水道水に熱が伝達され、常温度の水道水が常温度を上回る温水に加熱される。この給水処理１ではＣＰＵは一定の時間間隔で圧力センサ５７からの圧力信号を検出し、圧力信号の検出結果に基づいて水位を検出する。この水位の検出結果がステップＳ２の水位の設定結果に到達したことを判断したときには給水弁１９の注水用出口を閉鎖し、給水処理１を終える。即ち、ステップＳ８で洗濯物の重量が「高重量」であることが判断されている場合には給水処理１で「水位の設定結果に応じた分量の水−リセット水位以下の分量の水」が追加的に注入される。この給水処理１は本給水処理に相当するものである。
【００４４】
ＣＰＵはステップＳ３０の給水処理１を終えると、ステップＳ３１の洗い処理へ移行する。この洗い処理はドラムモータ９をＲＯＭに予め記録された洗い速度で回転操作するものであり、ドラム１１内の衣類はバッフル１３によって掻揚げられた後に水受槽８内の貯留水中に落下することで撹拌される。この洗い処理は給水弁１９の注水用出口と給水弁１９の散水用出口と排水弁２６のそれぞれが閉鎖され、ファンモータ３４とヒータ３５とポンプモータ３９のそれぞれが運転停止された状態で行われるものであり、ドラム１１内の洗濯物は洗剤分を含有する温水中に落下することで叩き洗いされる。この洗い処理は温水洗い処理に相当するものである。
【００４５】
ＣＰＵはステップＳ３１の洗い処理を終えると、ステップＳ３２の排水処理１で排水弁２６を開放することに基づいて水受槽８内の水を排水管２５から排出する。この排水処理１は水受槽８内の水位がリセット水位に低下したことを基準にＲＯＭに予め記録された待機時間が経過するまで継続されるものであり、ＣＰＵは水受槽８内の水位がリセット水位に低下したことを基準に待機時間が経過したことを判断したときには排水弁２６を閉鎖して排水処理１を終える。この待機時間は水受槽８内からリセット水位の水量の水を排出するために必要な所要時間に相当するものであり、排水処理１では洗い処理に使用された温水が水受槽８内から全て排出される。
【００４６】
ＣＰＵはステップＳ３２の排水処理１を終えると、ステップＳ３３の給水処理２へ移行する。この給水処理２はステップＳ３０の給水処理１と同様にして水受槽８内に常温度の水道水をステップＳ２の設定水位だけ貯留するものであり、ＣＰＵはステップＳ３３の給水処理２を終えたときにはステップＳ３４のすすぎ処理へ移行する。このすすぎ処理はドラムモータ９をＲＯＭに予め記録されたすすぎ速度で回転操作するものであり、ドラム１１内の洗濯物はバッフル１３によって掻揚げられた後に水受槽８内の常温度の貯留水中に落下することで撹拌される。このすすぎ処理は水受槽８内に洗剤分を投入することなく行われるものであり、洗濯物は洗剤分を含有しない常温度の水道水中に落下することに基づいて洗剤分が除去される。
【００４７】
ＣＰＵはステップＳ３４のすすぎ処理を終えると、ステップＳ３５の排水処理２へ移行する。この排水処理２はステップＳ３２の排水処理１と同様に水受槽８内の水位がリセット水位に低下してから待機時間が経過するまで排水弁２６を開放することに基づいてすすぎ処理に使用した常温度の水道水を水受槽８内から全て排出するものであり、ＣＰＵはステップＳ３５の排水処理２を終えたときにはステップＳ３６の脱水処理へ移行する。この脱水処理は排水弁２６の開放状態でドラムモータ９をＲＯＭに予め記録された脱水速度で回転操作するものであり、ドラム１１内の洗濯物はドラム１１の内周面に張り付いたまま落下することなく回転する。この脱水処理はドラム１１内の洗濯物から水分を遠心力で放出するものであり、洗濯物から放出された水分は排水管２５を通して排出される。
【００４８】
ＣＰＵはステップＳ３６の脱水処理を終えると、ステップＳ３７の乾燥処理へ移行する。この乾燥処理は給水弁１９の散水用出口の開放状態でファンモータ３４およびヒータ３５のそれぞれを運転し、ドラム１１内の洗濯物に高温低湿な温風を吹付けることでドラム１１内の洗濯物を乾かすものであり、ファンモータ３４は一定方向へ一定速度で継続的に回転操作され、ヒータ３５は温風温度センサ５８から出力される温風温度信号がＲＯＭに予め記録された乾燥温度に収束するようにオンオフ比が調整される。この乾燥処理はドラムモータ９をＲＯＭに予め記録されたタンブリング速度で運転しながら行われるものであり、ドラム１１内の洗濯物はドラム１１がタンブリング速度で回転操作されることに基づいて撹拌されながら乾燥風が吹付けられる。
【００４９】
図５は使用者が標準コースを選択したときに設定される標準コース用の運転制御プログラムを示すフローチャートであり、ＣＰＵは標準コース用の運転制御プログラムを設定したときにはステップＳ１の重量判定処理でドラム１１内の洗濯物の重量が「高重量」と「中重量」と「低重量」のいずれであるかを判定する。そして、ステップＳ２の水位設定処理で重量の判定結果に応じて水位を「高水位」と「中水位」と「低水位」のいずれかに設定し、ステップＳ３で水位の設定結果に応じて洗剤量を「多量」と「中量」と「少量」のいずれかに設定し、ステップＳ４〜ステップＳ７で洗剤量の設定結果を表示器４５に表示時間が経過するまで表示する。
【００５０】
ＣＰＵはステップＳ７で表示器４５から洗剤量の表示を消去すると、ステップＳ３０の給水処理１で水受槽８内にステップＳ２の設定水位の水道水を貯留し、ステップＳ３１の洗い処理でドラムモータ９を洗い速度で回転操作する。この場合にはドラム１１内の洗濯物が加熱されておらずに水受槽８内に洗剤分を含有する常温度の水道水が貯留されており、ドラム１１内の洗濯物は洗剤分を含有する常温度の水道水中に落下することで叩き洗いされる。
【００５１】
ＣＰＵはステップＳ３１の洗い処理を終えると、ステップＳ３２の排水処理１で水受槽８内から洗い処理に使用した常温度の水道水を全て排出する。そして、ステップＳ３３の給水処理２で水受槽８内にステップＳ２の設定水位の水道水を貯留し、ステップＳ３４のすすぎ処理でドラムモータ９をすすぎ速度で回転操作する。この場合には水受槽８内に洗剤分を含有しない常温度の水道水が貯留されており、ドラム１１内の洗濯物は洗剤分を含有しない常温度の水道水に落下することで洗剤分が除去される。
【００５２】
ＣＰＵはステップＳ３４のすすぎ処理を終えると、ステップＳ３５の排水処理２で水受槽８内からすすぎ処理に使用した常温度の水道水を全て排出する。そして、ステップＳ３６の脱水処理でドラムモータ９を脱水速度で回転操作することに基づいてドラム１１内の洗濯物から水分を遠心力で放出し、ステップＳ３７の乾燥処理でドラムモータ９とファンモータ３４とヒータ３５のそれぞれを給水弁１９の散水用出口の開放状態で運転することに基づいてドラム１１内の洗濯物を撹拌しながらドラム１１内の洗濯物に温風を吹き付け、ドラム１１内の洗濯物を温風によって乾かす。
【００５３】
上記実施例１によれば次の効果を奏する。
温風加熱コースの設定時にドラム１１内の洗濯物が「高重量」であることが判定されたときには予備給水処理および第１の布濡らし処理のそれぞれを順に行った後に第２の布濡らし処理および温風加熱処理のそれぞれを順に行った。予備給水処理は水受槽８内に予備水位の水道水を貯留する処理であり、予備給水処理ではドラム１１の静止状態で循環ポンプ３８からドラム１１内の洗濯物に水道水が浴びせられる。第１の布濡らし処理はドラム１１の静止状態で循環ポンプ３８からドラム１１内の洗濯物に水道水を浴びせる処理であり、第２の布濡らし処理はドラム１１を回転操作しながらドラム１１内の洗濯物に循環ポンプ３８から水道水を浴びせる処理である。この第２の布濡らし処理の開始時点ではドラム１１内の洗濯物に水道水が浸透することに基づいて洗濯物のかさが水道水の浸透前に比べて小さくなっているので、第２の布濡らし処理および温風加熱処理のそれぞれでドラム１１内の洗濯物が扉１７に衝突することに基づいて傷んだり、ドラム１１内の洗濯物が扉１７に衝突することに基づいて振動または異音が発生することを抑えることができる。
【００５４】
温風加熱コースの設定時にドラム１１内の洗濯物が「中重量」および「低重量」のいずれかであることが判定されたときにはドラム１１内の洗濯物にドラム１１の静止状態で水道水を浸透させずに温風加熱処理を実行したので、温風加熱コースの所要時間が不用意に長くなることを抑えることができる。予備給水処理で水受槽８内に洗濯物の重量に応じた水位に比べて低い予備水位の水道水を貯留したので、温風加熱処理で水受槽８内に注入される温風を洗濯物を加熱することに効率的に使用することができる。
【００５５】
第１の布濡らし処理の実行中に水受槽８内の水位がリセット水位以下に低下したときには第１の布濡らし処理を中断して第２の布濡らし処理を行うことなく温風加熱処理を開始し、第２の布濡らし処理の実行中に水受槽８内の水位がリセット水位以下に低下したときには第２の布濡らし処理を中断して温風加熱処理を開始した。このため、水受槽８内の水位が過小に低い状態で循環ポンプ３８が運転されることがなくなるので、循環ポンプ３８が空気を吸込むことを防止できる。第２の布濡らし処理を終えたときには温風加熱処理を開始する前に水受槽８内の水位を検出し、水受槽８内の水位がリセット水位を上回るときには排水弁２６を開放することに基づいて水受槽８内の水位がリセット水位に低下するまで水受槽８内から水道水を排出した。このため、水受槽８内に洗剤分を含む水道水が過大に貯留された状態で温風加熱処理が開始されることがなくなるので、温風加熱処理で過大な量の泡が発生することを防止できる。しかも、洗剤分を含む水道水の一部が水受槽８内に残るので、洗い処理でドラム１１内の洗濯物を洗剤分を含有する水道水によって洗うことができる。
【００５６】
上記実施例１においては、循環風路の内部に送風機が生成する風の流れの上流側に位置して冷凍サイクルの蒸発器を収納し、蒸発器の下流側に位置して冷凍サイクルの凝縮器を収納する構成としても良い。凝縮器は圧縮機から冷媒が供給されるものであり、蒸発器は圧縮機から凝縮器を通して冷媒が供給されるものであり、送風機が生成する風は蒸発器によって冷却されることに基づいて水分が除去された後に凝縮器によって加熱されることに基づいて温風化され、水受槽８内に注入される。この場合には凝縮器が加熱器に相当し、蒸発器が除湿器に相当する。
【００５７】
上記実施例１においては、ステップＳ１８およびステップＳ２９のそれぞれでドラム１１を正方向および逆方向に交互に揺することに基づいてドラム１１内の洗濯物を撹拌しても良い。
【００５８】
上記実施例１においては、ファンモータ３４およびヒータ３５のそれぞれを運転することに基づいて水受槽８内に温風を注入しながら図３のステップＳ３０の給水処理１を行っても良い。
【００５９】
上記実施例１においては、ファンモータ３４およびヒータ３５のそれぞれを運転することに基づいて水受槽８内に温風を注入しながら図３のステップＳ３１の洗い処理を行っても良い。
【００６０】
上記実施例１においては、図３のステップＳ１０を廃止しても良い。即ち、予備給水処理で水受槽８に対する給水を開始すると同時に循環ポンプ３８を運転開始しても良い。
上記実施例１においては、図３のステップＳ１でドラム１１内の洗濯物の重量を高重量と中重量と低重量の段階的に判定するのではなくグラムを単位として非段階的に判定しても良い。この構成の場合、図３のステップＳ８で洗濯物の重量の判定結果を予め決められた基準値と比較し、重量の判定結果および基準値相互間の比較結果に応じて洗濯物の重量が高重量であるか否かを判別すると良い。
【図面の簡単な説明】
【００６１】
【図１】本発明の実施例１を示す図（洗濯機の内部構成を示す断面図）
【図２】電気的構成を示すブロック図
【図３】制御回路の処理内容を説明するためのフローチャート（温風加熱コース）
【図４】温風加熱コースを説明するための図
【図５】制御回路の処理内容を説明するためのフローチャート（標準コース）
【符号の説明】
【００６２】
１は外箱、４は前板、８は水受槽、９はドラムモータ（洗濯モータ）、１１はドラム（洗濯槽）、１６は出入口、１７は扉、１９は給水弁、２６は排水弁、３５はヒータ（加熱器）、３８は循環ポンプ、４６は運転コーススイッチ（操作子）、４８は制御回路を示している。
【図１】
2009028334.tif 000003
【図２】
2009028334.tif 000004
【図３】
2009028334.tif 000005
【図４】
2009028334.tif 000006
【図５】
2009028334.tif 000007